(57)【要約】【課題】水流のある路面の水深を測定するのに適した水深測定装置を提供する。【解決手段】水流のある路面Ｒの水深ｄを測定する水深測定装置Ａであり、水流により回動可能な水深検知部１が上下に移動自在に配置されている。水深検知部１は、好ましくは水流により回転する回転体９から構成するのがよい。回転体９としては、外周側に水流が当たる歯部１１を周方向に所定の間隔で突設した歯車体や、羽根車などを好ましく例示することができる。【選択図】図２
2007225556.tif 000002
【特許請求の範囲】
【請求項１】
水流のある路面の水深を測定する水深測定装置であって、水流により回動可能な水深検知部を上下に移動可能に配置した水深測定装置。
【請求項２】
前記水深検知部は水に浮くことが可能である請求項１に記載の水深測定装置。
【請求項３】
水流のある路面の水深を測定する水深測定装置であって、水流により回動可能でかつ路面からの高さが段階的に異なる複数の水深検知部を配置した水深測定装置。
【請求項４】
前記複数の水深検知部を横方向に並設し、各水深検知部間に隣りの水深検知部が跳ね上げた水が干渉するのを防止する仕切り体を設けた請求項３に記載の水深測定装置。
【請求項５】
前記水深検知部が水流により回転する回転体からなる請求項１乃至４のいずれか１項に記載の水深測定装置。
【請求項６】
前記回転体が外周側に水流が当たる歯部を周方向に所定の間隔で突設した歯車体からなる請求項５に記載の水深測定装置。
【請求項７】
前記回転体が羽根車からなる請求項５に記載の水深測定装置。
【請求項８】
前記水深検知部の周囲に風の影響を排除するカバーを設けた請求項１乃至７のいずれか１項に記載の水深測定装置。
【発明の詳細な説明】
【技術分野】
【０００１】
本発明は、路面の水深を測定する水深測定装置に関し、更に詳しくは、水流のある路面の水深を測定するのに適した水深測定装置に関する。
【背景技術】
【０００２】
従来、路面上の水膜厚さ（水深）を測定する装置として、測定体の測定面が水に接触すると、光の透過度が変化して色が変化することにより水深を測定するようにした水深測定装置が知られている（例えば、特許文献１，２参照）。粗面にした下端面を水深を測定する測定面にし、該測定面の高さを段階的に変えた複数の透明な測定体の色の変化の有無を調べることにより、水深を測定できるようにしている。
【０００３】
上記水深測定装置は、路面上の静止した水の水深を測るには極めて好適である。しかしながら、水の流れが速い路面の水深の測定に使用すると、水流の波が測定面に接触するので、その波が接触した測定体の色が変化し、実際はそれよりも浅いにもかかわらず、その色が変化した測定体を水深として読み取ってしまい、水流のある路面の水深を測定するのに不向きであるという問題があった。
【特許文献１】特開平７−１７４５０４号公報
【特許文献２】特開２００４−３３３１８０号公報
【発明の開示】
【発明が解決しようとする課題】
【０００４】
本発明の目的は、水流のある路面の水深を測定するのに適した水深測定装置を提供することにある。
【課題を解決するための手段】
【０００５】
上記目的を達成する本発明の水深測定装置は、水流のある路面の水深を測定する水深測定装置であって、回動可能な水深検知部を上下に移動可能に配置したことを特徴とする。
【０００６】
本発明の他の水深測定装置は、水流のある路面の水深を測定する水深測定装置であって、水流により回動可能でかつ路面からの高さが段階的に異なる複数の水深検知部を配置したことを特徴とする。
【発明の効果】
【０００７】
上述した本発明の水深測定装置によれば、水深検知部を水面の上方から次第に降下させると、水深に対応した位置に移動させた水深検知部が水流により一方向に連続的に回転する一方、水深に対応した位置まで達せずに水流の波が当たる位置では、水深検知部が連続的に回転せずに断続的な回転となる。従って、連続的に回転する水深検知部により水深を測定することで、水流の波による影響を回避することができ、水流のある路面の水深を測定するのに適した水深測定装置の提供が可能になる。
【０００８】
他方、上述した本発明の他の水深測定装置によれば、水流により部分的に水面下に沈んだ水深検知部が一方向に連続的に回転する一方、水面下に沈んでいない水深検知部は、水流の波が当たっても、水深検知部が連続的に回転せずに断続的な回転となる。従って、連続的に回転する水深検知部により水深を測定することで、水流の波による影響を回避することができ、水流のある路面の水深を測定するのに適した水深測定装置の提供が可能になる。
【発明を実施するための最良の形態】
【０００９】
以下、本発明の実施の形態について添付の図面を参照しながら詳細に説明する。
図１，２は、本発明の水深測定装置の一実施形態を示し、この水深測定装置Ａは、水流のある水Ｗの水面Ｗｓから路面Ｒまでの水深ｄを測定するための水深検知部１を支持体２に支持した構造になっている。支持体２は、所定の間隔を於いて配置した左右の側壁板３，４の上端を天板５で連結し、その左右の側壁板３，４間に１本の固定軸６を延設している。左右の側壁板３，４の下端面３ａ，４ａが測定の基準面（水深０）となっており、この下端面３ａ，４ａを水深ｄを測定する路面Ｒに接触させて水深ｄを測定するようになっている。支持体２は、左右の側壁板３，４と天板５に代えて、フレーム構造を採用するようにしてもよい。
【００１０】
左右の側壁板３，４には、それぞれ側壁板３，４を貫通し、上下に延在する長孔７が設けられている。各長孔７内には、長孔７に沿って上下に移動自在な移動部材８がそれぞれ配置されている。固定軸６の一端が左側の側壁板３の長孔７に配置した左側の移動部材８に固定され、固定軸６の他端が右側の側壁板４の長孔７に配置した右側の移動部材８に固定され、移動部材８の上下移動により固定軸６も上下に移動できるようにしている。
【００１１】
水深検知部１は、浮力により水Ｗに浮くことが可能でかつ水流により回転可能な回転体９から構成されている。この回転体９は、固定軸６に軸受け１０を介して固定され、固定軸６に対して回転自在になっている。図示する回転体９は、外周側に水流が当たる鋸歯状の歯部１１を所定の間隔で周方向に突設した歯車体から構成しているが、水流が当たることにより回転できる形状であれば、いずれの構造を採用してもよく、例えば、水車に使用される羽根車などであってもよい。
【００１２】
右側の側壁板４の外面４ｂには、長孔７に面して水深ｄを読むための目盛り１２が付設されている。右側の移動部材８の外面８ａには、水深検知部１の位置を示す線１３が付設されている。水深検知部１が水に部分的に沈む量を加味して線１３が付設され、この線１３が指す目盛り１２の不図示の数字（水深を表す数字）を読み取ることで、水深ｄを測定できるようにしている。
【００１３】
上述した水深測定装置Ａは、水流のある路面Ｒに図１，２に示すようにして配置すると、水Ｗの深さ（水面Ｗｓ）に合わせて水深検知部１が上下方向に移動し、水深ｄに見合った位置で浮く水深検知部１が水流により回転する。水深検知部１の回転により、波立つ水流が水深検知部１に当たってもその波により水深検知部１が大きく上下動することがなく、線１３が指す目盛り１２の数字を読み取ることで、水深ｄを測定することができる。従って、水流の波による影響を回避し、水流のある路面Ｒの水深ｄを測定するのに適した水深測定装置Ａの提供が可能になる。
【００１４】
上記水深測定装置Ａの水深検知部１は、水流により回転可能であれば、浮かない構成にしてもい。その場合、測定者が水深検知部１を水面Ｗｓの上方から次第に降下させると、水深ｄに対応した位置で水深検知部１が水流により一方向に連続的に回転する。水深ｄに対応した位置まで達せずに水流の波が当たる位置では、水深検知部１が連続的に回転せずに断続的な回転となる。従って、水深検知部１が連続的に回転を開始する位置が水深ｄの位置となり、水流の波による影響を回避しつつ、水深ｄの測定が可能になる。
【００１５】
図３，４は、本発明の水深測定装置の他の実施形態を示し、この水深測定装置Ｂは、水流のある水Ｗの水面Ｗｓから路面Ｒまでの水深ｄを測定するための複数の水深検知部２１Ａ，２１Ｂ，２１Ｃを支持体２２に支持した構造になっている。支持体２２は、複数の水深検知部２１Ａ，２１Ｂ，２１Ｃを収容可能な間隔を於いて配置した左右の側壁板２３，２４の上端を天板２５で連結し、その左右の側壁板２３，２４間に水平方向に延設した１本の固定軸２６を固定している。左右の側壁板２３，２４の下端面２３ａ，２４ａが測定の基準面（水深０）となっており、この下端面２３ａ，２４ａを水深ｄを測定する路面Ｒに接触させて水深ｄを測定するようになっている。この支持体２２も、左右の側壁板２３，２４と天板２５に代えて、フレーム構造となるようにしてもよい。
【００１６】
複数の水深検知部２１Ａ，２１Ｂ，２１Ｃは、水流により回転し、かつ路面Ｒからの高さが段階的に異なる複数の回転体２９Ａ，２９Ｂ，２９Ｃから構成されている。各回転体２９Ａ，２９Ｂ，２９Ｃは、所定の間隔で固定軸２６に軸受け３０を介して固定され、固定軸２６に対して回転自在になっている。図示する各回転体２９Ａ，２９Ｂ，２９Ｃは、上述した回転体９と同様に、外周側に水流が当たる鋸歯状の歯部３１を所定の間隔で周方向に突設した歯車体から構成しているが、水流が当たることにより回転できる形状であれば、いずれの構造を採用してもよく、水車に使用される羽根車などであってもよい。
【００１７】
天板２５の上面２５ａには、図５に示すように、回転体２９Ａ，２９Ｂ，２９Ｃに対応するエリアｘ，ｙ，ｚに水深ｄを示す数字が記載され、連続して回転する回転体に対応するエリアに記載された数字を読むことで、水深ｄを測定できるようにしている。図では例示として３個の回転体２９Ａ，２９Ｂ，２９Ｃを示したが、通常、水深ｄが１ｍｍ〜２０ｍｍ程度まで１ｍｍ刻みで水深を測定可能な複数の回転体が取り付けられる。
【００１８】
上述した水深測定装置Ｂは、水流のある路面Ｒに図３，４に示すように配置すると、水流により水面Ｗｓに部分的に沈んだ回転体２９Ａが連続的に回転する。水面Ｗｓに沈んでいない回転体２９Ｂは、水流の波が歯部３１に断続的に当たって回転体２９Ｂを回転させようとするが、回転体２９は連続的に回転せずに断続的な回転となるので、水深ｄは連続的に回転する回転体２９Ａに対応するエリアｘに記載された数字となる。複数の回転体２９Ａ，２９Ｂが共に連続的に回転した場合には、回転体２９Ａ，２９Ｂに対応するエリアｘ，ｙに記載された数字の中で最も深い水深を示す数字が水深ｄを表す数字となる。
【００１９】
このように複数の水深検知部２１Ａ，２１Ｂ，２１Ｃにおいて、連続的に回転する水深検知部により水深ｄを測定することで、水流の波による影響を回避することができ、水流のある路面Ｒの水深ｄを測定するのに適した水深測定装置Ｂの提供が可能になる。
【００２０】
図６は、本発明の水深測定装置の更に他の実施形態を示し、この水深測定装置Ｃは、上記水深測定装置Ｂにおいて、更に横方向に並設した各水深検知部２１Ａ，２１Ｂ，２１Ｃ間に、回転する隣りの水深検知部が跳ね上げた水がかかって干渉するのを防止（跳ね上げた水による誤回転を防止）する板状の仕切り体４１を設けたものである。各仕切り体４１は、天板２５の下面２５ｂに固定され、該下面２５ｂから下方に固定軸２６を超えて延在している。
【００２１】
図７は、本発明の水深測定装置の更に他の実施形態を示し、この水深測定装置Ｄは、上記水深測定装置Ｂにおいて、更に左右の側壁板２３，２４の前端間と後端間に、それぞれ前壁板５１と後壁板５２を取り付け、水深検知部２１Ａ，２１Ｂ，２１Ｃの周囲を左右の側壁板２３，２４、前壁板５１と後壁板５２、及び天板２５で囲ようにしている。前壁板５１と後壁板５２の下端は、最も深い水深を測定する水深検知部２１Ｃの下端より少し上方に位置し、水深検知部２１Ａ，２１Ｂ，２１Ｃに対して水Ｗの流れを阻害しないようになっている。
【００２２】
このように図７の水深測定装置Ｄは、水深検知部２１Ａ，２１Ｂ，２１Ｃの周囲に風の影響を排除するカバー（左右の側壁板２３，２４、前壁板５１と後壁板５２及び天板２５から構成）を設けることにより、水流のある路面Ｒの水深ｄを風の影響を排除して測定することができる。
【００２３】
当然のことながら、図６の水深測定装置Ｃにおいて、更に前壁板５１と後壁板５２を取り付けるようにしてもよく、また図１に示す水深測定装置Ａにおいて、更に前壁板５１と後壁板５２を設けるようにしてもよい。このように水深検知部２１Ａ，２１Ｂ，２１Ｃの周囲をカバーで囲む構成にする場合、カバーを透明材料で形成するのが回転する水深検知部２１Ａ，２１Ｂ，２１Ｃを外から見易くする上で好ましい。カバーに使用する透明材料としては、例えば、アクリル樹脂などの樹脂材料を好ましく使用することができる。
【００２４】
本発明では、水深測定装置の水深検知部として、上述した実施形態のように、水流により回転する回転体を好ましく用いることができるが、それに限定されず、水流により回動可能な水深検知部であってもよい。
【図面の簡単な説明】
【００２５】
【図１】本発明の水深測定装置の一実施形態を示す正面図である。
【図２】図１の水深測定装置の側面図である。
【図３】本発明の水深測定装置の他の実施形態を示す正面図である。
【図４】図３の水深測定装置のＸ−Ｘ矢視断面図である。
【図５】図３の水深測定装置の平面図である。
【図６】本発明の水深測定装置の更に他の実施形態を示す正面図である。
【図７】本発明の水深測定装置の更に他の実施形態を示す正面図である。
【符号の説明】
【００２６】
１  水深検知部
２  支持体
８  移動部材
９  回転体
１１  歯部
２１Ａ，２１Ｂ，２１Ｃ  水深検知部
２２  支持体
２３，２４  側壁板（カバー）
２５  天板（カバー）
２９Ａ，２９Ｂ，２９Ｃ  回転体
３１  歯部
４１  仕切り板
５１  前壁板（カバー）
５２  後壁板（カバー）
Ａ，Ｂ，Ｃ，Ｄ  水深測定装置
Ｒ  路面
Ｗ  水
Ｗｓ  水面
ｄ  水深
【図１】
2007225556.tif 000003
【図２】
2007225556.tif 000004
【図３】
2007225556.tif 000005
【図４】
2007225556.tif 000006
【図５】
2007225556.tif 000007
【図６】
2007225556.tif 000008
【図７】
2007225556.tif 000009